(57)【要約】【課題】空気中の水分を除湿ロータに吸着し、これを濃縮脱着して回収する除湿装置において、除湿ロータに吸湿だけでなく、吸着した臭いをとる、殺菌するといった機能を付与し、除湿とともに脱臭、除菌ができる空調機を提供することを目的とする。【解決手段】除湿ロータに含まれるゼオライトなどの吸湿剤の交換性カチオンを銀イオンなどの除菌や臭気を分解する機能を有する金属カチオンとし、臭気吸着性能および加熱時の触媒的な臭気分解能力を付与する。また除菌性能を付与する。この銀イオン交換除湿ロータ５を、ロータ５に通気するためのファン６と、ロータ５から湿気を脱着するためのヒータ７と温風を送るファン８と、通気部分と脱着部分を入れ替えるために除湿ロータ５を回転させるギアモータ９と、あたためられた空気を回収し脱着した水を冷却、回収するための熱交換装置１０を有した装置に組み込み、除湿装置１２とする。【選択図】図２
2009183912.tif 000002
【特許請求の範囲】
【請求項１】
吸湿剤からなる除湿ロータと、この除湿ロータを回転させる回転手段と、前記除湿ロータを乾燥するための加熱手段と、前記除湿ロータに通気するための通風手段とから構成される除湿装置の除湿ロータにおいて、前記吸湿剤がカチオン交換性であり、交換性カチオンとして銀イオン、銅イオン、マンガンイオン、コバルトイオン、亜鉛イオンの内少なくとも一つ以上の金属イオンを含むことを特徴とする除湿ロータ。
【請求項２】
吸湿剤が銀イオンを含むことを特徴とする請求項１記載の除湿ロータ。
【請求項３】
吸湿剤がゼオライトであることを特徴とする請求項１または２に記載の除湿ロータ。
【請求項４】
吸湿剤がカチオン交換性層状化合物であることを特徴とする請求項１または２に記載の除湿ロータ。
【請求項５】
除湿ロータの見かけ体積あたりの銀イオンの量が０．０００９ｇ／ｃｍ3以上であることを特徴とする請求項１乃至４のいずれかに記載の除湿ロータ。
【請求項６】
吸湿剤１ｇあたり銀イオンを０．００５ｇ以上含むことを特徴とする請求項１乃至４のいずれかに記載の除湿ロータ。
【請求項７】
吸湿剤スラリー中に銀イオン、銅イオン、マンガンイオン、コバルトイオン、亜鉛イオンの内少なくとも一つ以上のイオンを溶解させ、前記吸湿剤スラリー中の交換性カチオンの一部もしくはすべてと前記銀イオン、銅イオン、マンガンイオン、コバルトイオン、亜鉛イオンの内少なくとも一つ以上の金属イオンを交換し、前記のイオン交換した吸湿剤スラリーに通気性構造基材を含浸し、この通気性構造基材の表面および内部に、銀イオン、銅イオン、マンガンイオン、コバルトイオン、亜鉛イオンの内少なくとも一つ以上の金属イオンを交換した吸湿剤を担持して製造することを特徴とする除湿ロータの製造方法。
【請求項８】
吸湿剤スラリーに通気性構造基材を含浸し、前記吸湿剤を通気性構造基材の表面および内部に担持して通気性吸湿体とした後、さらに前記通気性吸湿体を銀イオン、銅イオン、マンガンイオン、コバルトイオン、亜鉛イオンの内少なくとも一つ以上の金属イオンの溶液に含浸することによって、前記吸湿剤中のカチオンと銀イオン、銅イオン、マンガンイオン、コバルトイオン、亜鉛イオンの内少なくとも一つ以上の金属イオンとを交換して製造することを特徴とする除湿ロータの製造方法。
【請求項９】
カチオン交換後に交換せず、吸湿剤もしくは除湿ロータの表面上に残存した銀イオンもしくは銅イオンもしくはマンガンイオンもしくはコバルトイオンもしくは亜鉛イオンとさらに吸湿剤中にあって交換によって、吸湿剤表面に出て表面に残存したカチオンを、水で洗い流して製造することを特徴とする請求項７または８に記載の除湿ロータの製造方法。
【請求項１０】
請求項１乃至６のいずれかに記載の除湿ロータを搭載し、運転中は加熱手段によって交換されたカチオンが酸化物から分解されて金属単体もしくは金属イオンの状態になる温度以上で加熱されることを特徴とした除湿装置。
【請求項１１】
請求項１乃至６のいずれかに記載の除湿ロータを搭載し、交換された金属の酸化物を加熱手段によって酸化物から分解されて金属単体もしくは金属イオンの状態になる温度以上で加熱する運転モードを搭載したことを特徴とした除湿装置。
【発明の詳細な説明】
【技術分野】
【０００１】
本発明は、空気中の水分を回収する除湿装置とその除湿ロータに関するものである。
【背景技術】
【０００２】
従来のこの種の除湿ロータおよび除湿装置について説明する。
【０００３】
従来の除湿ロータおよび除湿装置は、ゼオライトやセピオライトなどの吸湿剤を円形のハニカム構造体などの基材の内部および表面上に担持し（これを除湿ロータと記す）、この除湿ロータを装置内に搭載しギアモータなどの回転手段によって回転させながら、除湿ロータに通気し、吸湿剤に気中の水分を吸着させ、乾燥した空気を提供するものである。また、装置内にはヒータなどの加熱装置を設け、除湿ロータの一部を加熱し再生する。そして除湿ロータは回転して吸湿と再生を繰り返すことが可能である。また、加熱し除湿ロータから脱着した水分は、凝縮器や結露熱交換器などに送られて冷却されることにより結露し、液体として回収される。例えば特許文献１にしめされる除湿ロータおよび除湿装置である。
【特許文献１】特開２０００−７０６５９号公報
【発明の開示】
【発明が解決しようとする課題】
【０００４】
このような従来の除湿ロータおよび除湿装置では、通気する空気から水分を吸い取ることができるが、通気する空気中にはその他に臭気成分や菌が存在し、このような臭気成分や菌の吸着、除去はできていない。たしかに、現在の吸湿剤を用いた除湿機において、除湿ロータの吸湿剤で水分だけでなく臭気成分や菌を吸着するものも存在する。しかしながら例えば臭気成分の場合、水分とともに吸着し、ある程度臭気成分は除湿ロータ内で濃縮されて吸着するが、脱臭として満足の行くものではなかった。
【０００５】
また、空気中の菌であっても同様であり、いったん吸着しても、再度通気されることで再び空気中に飛散するため総量としては空気中の菌を減らしているとはいえない。
【０００６】
しかしながら、現在の消費者の空気質向上を求めるニーズから、除湿装置に水分だけでなく空気中の臭気成分や菌の除去が求められている。
【０００７】
本発明は、このような従来の課題を解決するものであり、空気中の臭気成分を十分に吸着脱臭し、また空気中の菌を捕捉し殺菌することができる除湿ロータとその除湿ロータを搭載した除湿機を提供することを目的としている。
【課題を解決するための手段】
【０００８】
本発明の除湿ロータおよび除湿装置は上記目的を達成するために、吸湿剤の交換性カチオンに銀、銅、マンガン、コバルト、亜鉛の内少なくとも一つ以上の金属イオンを用いることによって、吸湿剤の極性分子の吸着性を向上させることができる。また、吸着した分子を吸湿剤の再生熱をもちいて分解するための熱触媒活性を付与することができる。また、金属イオンの殺菌性によって除湿剤に殺菌性能を与えることができる。以上より、前記課題に対し、除湿ロータおよびそれを搭載した除湿装置に脱臭性能と除菌性能の両方をあたえることができる。
【０００９】
また、交換したカチオンおよび、吸湿剤の表面に残存して吸着している金属カチオンの酸化を、除湿装置内の加熱装置によって分解し、金属の状態を保持することによって、連続して脱臭および除菌を行う除湿装置としたものである。
【発明の効果】
【００１０】
本発明によれば除湿と同時ににおい分子を従来のそれより多く吸着し、熱によって分解し、また菌を捕捉し殺菌する効果がある除湿ロータを提供できる。
【００１１】
また、上記除湿ロータを搭載した除湿機とし、除湿と同時に脱臭、除菌した空気を提供できる除湿装置を提供できる。
【発明を実施するための最良の形態】
【００１２】
本発明の請求項１記載の発明は、ハニカム構造など通気性を有する通気性構造基材に吸放湿可能な吸湿剤を添着した除湿ロータとこの除湿ロータを回転させる回転手段と、前記吸湿ロータを乾燥するための加熱手段と、前記除湿ロータに通気するための通風手段から構成される除湿装置の除湿ロータにおいて、前記吸湿剤がカチオン交換性であり、前記吸湿剤の交換性カチオンに銀イオン、銅イオン、マンガンイオン、コバルトイオン、亜鉛イオンの内少なくとも一つ以上の金属イオンが含まれることを特徴とする除湿ロータである。前記の金属イオンと交換した除湿ロータに吸着した臭気を上記の金属イオンが加熱装置によって活性化して触媒的に反応し、臭気を分解するため、脱臭性能を発揮することができる。また、金属イオンの極性により、極性のある臭気成分を吸着しやすくなる。また、金属イオンもしくはその酸化物が臭気を吸着するため、脱臭性能が発現するものである。
【００１３】
本発明の請求項２記載の発明は、前記請求項１の発明において、吸湿剤の交換性カチオンに特に銀イオンが含まれることを特徴とする除湿ロータである。
【００１４】
これは、前述の銅、マンガン、コバルト、亜鉛などが２価のイオンで、吸湿剤として後述のゼオライトなどにおいては１価のカチオンとの交換であることから、２価と１価で交換が進みにくいこと、また、２価のイオンが１価のイオンと交換されることによって電気的に不安定となり、結晶そのものの強度に影響をあたえてしまう。それに対して銀イオンの場合１価であるために、電気的に不安定にならずまた、イオン交換が起こりやすく、結晶性が安定しているというメリットがある。
【００１５】
なお、前記銀イオンによる臭気除去のメカニズムは複数考えられる。一つ目には吸湿剤が吸着した臭気を銀イオンもしくは銀もしくは酸化銀が触媒的に反応し、分解するというものであり、これにより吸着サイトが空くために新たな臭気を取り込むことができ、吸着できるというものである。二つ目に、銀イオンの極性により、交換前のナトリウムなどのカチオンに比べ、アンモニアやトルエンといった極性のある臭気成分を誘引しやすくなり、吸湿剤への吸着がより多くできるというものである。そして三つ目に、銀イオンもしくは銀もしくは酸化銀への直接の吸着である。以上の原因のそれぞれが要因となり、臭気の吸着能力が向上する。
【００１６】
また、請求項１の発明と請求項２の発明において、通常より多くの臭気を吸着しても、吸着飽和にいたれば、吸着ができなくなってしまうが、回転手段によって、吸湿剤が加熱装置に送られ、加熱装置によって吸着した臭気は脱着する。そのため再度ロータは臭気を吸うことが可能になる。そのため、除湿ロータによって水と臭気の両方を吸い込み、脱着した水のなかに、同じく脱着した臭気成分が溶け込むというメリットから、とくに水溶性の臭気に対して、本発明の脱臭機能のついた除湿装置は脱臭性能に優れているものである。
【００１７】
また、請求項１の発明と請求項２の発明において臭気成分が除湿ロータの吸湿剤に吸着し、回転手段によって臭気を吸着した吸湿剤が回転して加熱装置によって加熱されると、吸湿剤中金属イオンの活性により、吸着していた臭気成分は脱着より前、同時もしくは脱着後すぐに分解される。そのため、脱着によって水に溶けなくとも、分解によって、脱臭効果は得られる。
【００１８】
また除湿ロータに吸着した菌を銀イオンの殺菌効果によって殺すことができる。
【００１９】
また、本発明の請求項３記載の発明は、吸湿剤がゼオライトであることを特徴としており、ゼオライトはその骨格構造に対して電子的中性を保つためナトリウムイオンなどのカチオンが骨格構造内部の空間に存在しており、このカチオンは水溶液中などで他のカチオンと交換することができる。また、ゼオライトは湿気と同時に臭気成分を吸着することができ、交換した金属カチオンと反応させるのに、有利である。また、上述のように臭気成分を分解する反応のために熱が必要であるが、ゼオライトは７００℃程度までの温度に耐えることができ、反応にも有利である。
【００２０】
また、本発明の請求項４記載の発明は、吸湿剤がカチオン交換性層状化合物であることを特徴としており、本発明におけるカチオン交換性層状化合物とは、構造がシリカやアルミの酸化物骨格の層と、その層と層の間に電子的中性を保つため、カチオンが存在しているもので、カオリナイトやセピオライトのような無機粘土層状化合物などがある。なお、層状化合物の中にはアニオンを層間に有するものもあるが、本発明ではカチオンが層間に存在するカチオン交換性層状化合物を用いる。そしてこの層間に存在するカチオンは水溶液中などで他のカチオンと交換することができる。また、層状化合物は湿気と同時に臭気成分を吸着することができ、交換した金属カチオンと反応させるのに、有利である。また、上述のように臭気成分を分解する反応のために熱が必要であるが、高温に耐えることができ、反応にも有利である。
【００２１】
また、本発明の請求項５記載の発明は、除湿ロータの見かけ体積あたりの交換された銀イオンの量が０．０００９ｇ／ｃｍ3以上であることを特徴とする前述の除湿ロータであり、空気中の臭気を吸着し、加熱装置によって臭気を分解するため、銀イオンは多いほうが良いが、吸湿剤がすった臭気を効率的に分解するために少なくとも０．０００９ｇ／ｃｍ3が必要であり、この量あることによって、吸湿剤に銀イオンを交換しない場合と比較して明らかな差がある脱臭機能を付与できるものである。
【００２２】
また、本発明の請求項６記載の発明は、ロータに添着した吸湿剤１ｇに対しての交換し、吸湿剤に添着した銀イオンの量が０．００５ｇ以上であることを特徴とする前述の除湿ロータであり、空気中の臭気をよりおおく除去するためには、銀イオンは多いほうが良いが、臭気を効率的に除去するために少なくとも０．００５ｇ以上が必要であり、この量あることによって、吸湿剤に銀イオンを交換しない場合と比較して明らかな差がある脱臭機能を付与できるものである。
【００２３】
また、本発明の請求項９記載の発明は、前記銀、銅、マンガン、コバルト、亜鉛イオンを交換性カチオンと交換した後の吸湿剤もしくは除湿ロータを水で洗浄することで、吸湿剤および除湿ロータの表面に残存した、吸湿剤の交換性カチオンと交換できなかった銀、銅、マンガン、コバルト、亜鉛イオン、さらにそのイオンと交換したカチオンを洗い流すことによって、吸湿剤および除湿ロータの表面をふさがないため、吸着面積を増大させ、吸湿および脱臭および除菌の能力を向上させることができる。
【００２４】
また、本発明の請求項１０記載の発明は、前述の金属イオンを交換した除湿ロータを搭載し、除湿ロータを回転させる回転手段と、除湿ロータを乾燥し、また除湿ロータ中の金属酸化物を分解する温度で加熱することのできる加熱手段と、除湿ロータに通気するための通風手段を有する除湿装置であり、交換した金属カチオンが空気中の酸素と結合し、酸化物になって活性が低下してしまう。これを前記加熱装置によって加熱して分解し、再度金属として臭気を分解する、または菌を殺菌することができる、もしくは金属イオンとして臭気を誘引して臭気の吸着能力を向上させる、または臭気を分解する、または菌を殺菌することができるという作用がある。
【００２５】
また、除湿ロータは回転などにより、定期的に加熱され、酸化した金属が分解されるのが望ましい。また、加熱手段による除湿ロータの加熱温度の例として、吸湿剤に添着した金属が銀の場合、少なくとも１６０℃以上に加熱するのがＡｇ2Ｏを分解する温度であるため望ましい。なお、可能であればロータの厚み方向すべてに酸化物が分解する温度以上となるのが望ましいが、実際には付近の部品の耐熱温度等もあるため、少なくとも除湿ロータの表面がその温度以上となるものとする。
【００２６】
また、本発明の請求項１１記載の発明は、前記の除湿ロータを搭載し、除湿ロータを回転させる回転手段と、除湿ロータを乾燥し、また除湿ロータ中の金属酸化物を分解する温度で加熱することのできる加熱手段と、除湿ロータに通気するための通風手段を有する除湿装置であり、加熱手段の入力において交換された金属の酸化物を酸化物から分解し、金属単体もしくは金属イオンの状態になる温度以上で加熱するための入力をあたえられる運転モードを搭載したことを特徴とした除湿装置である。通常少ない電力で運転していても、除湿は可能であり、常に高い電力で運転する必要はないことが考えられ、またゼオライトなどに交換して入った銀イオンなどの金属イオンは、比較的酸化し難いため、常に酸化物を分解する温度である必要はなく、消費電力を抑えた運転モードを提供すると同時に、金属イオンが酸化して脱臭および除菌能力が落ちてしまったときにその能力の回復をさせ、ふたたび強力に脱臭、除菌をするモードとしての酸化物を分解できる温度の入力というように、段階的に機能を提供することのできる除湿装置を提供するものである。
【００２７】
そのため、通常運転時の電力は少なくするといったことも可能であり、ランニングこそとの低減を図ることができるものである。
【００２８】
以下、本発明の実施の形態について図面を参照しながら説明する。
【００２９】
（実施の形態１）
図１に示すように、焼結後の骨材としてのセラミックもしくはガラスなどの無機繊維と、成型を可能とするパルプなどの有機繊維とを混合した有機無機複合紙１の平型シート１ａと、これを波型に加工した波型シート１ｂを交互に積層し、巻き取ることで通気性構造基材を形成する。この通気性構造基材であるハニカム通気構造体２を、吸湿剤としてのゼオライト３と、接着剤としての無機バインダ４とを混合したゼオライトスラリーに含浸し、前記ハニカム通気構造体２の表面および内部にゼオライト３を添着する。
【００３０】
このときのゼオライト３としては、臭気成分も吸着しやすく、交換性カチオンが存在するようにシリカアルミナ比が５以上のハイシリカゼオライトが望ましい。また、除湿能力との兼ね合いにより、複数の結晶タイプ、シリカアルミナ比のゼオライトを混合しても良い。またこのときの無機バインダ４としては、コロイダルシリカや珪酸リチウム、珪酸ソーダなどを、ゼオライト３に対してＳｉＯ2固形分としたときの重量比率で３〜２０％の割合で混合するのが望ましい。
【００３１】
前記のゼオライト３を添着したハニカム通気構造体２を有機繊維等が焼失する温度以上で焼結し、必要なサイズに切り、除湿ロータとする。
【００３２】
硝酸銀の水溶液を作成し、前記のゼオライト３を無機バインダ４で添着した除湿ロータを含浸する。このとき、のぞましくは水溶液中の銀の９９％以上がゼオライト３中の交換性カチオンと交換できる量に調整する。これによって、含浸後の銀イオンの溶液を処分する際の手間を低減できるものである。また、銀イオンは１価のカチオンであるため、交換性に優れているため、他のカチオンより望ましい。
【００３３】
また、本発明において、従来のゼオライトのみの除湿ロータと比較して本発明では０．０００９ｇ／ｃｍ3以上の銀の添着が脱臭性能を向上させるのに必要であることがわかったため、このとき銀イオンがほぼ全量除湿ロータとイオン交換もしくはその表面に付着することよって、銀を除湿ロータに対しすくなくとも０．０００９ｇ／ｃｍ3以上添着することができるものが望ましい。そして特に、０．００２５ｇ／ｃｍ3以上において、さらによい脱臭能力が得られるので望ましい。
【００３４】
このときの銀イオン濃度として、含浸するゼオライトを添着した除湿ロータと同程度の体積の液として８００ｐｐｍ以上とすることで０．０００９ｇ／ｃｍ3以上がえられ、また、２２００ｐｐｍ以上とすることで０．００２５ｇ／ｃｍ3以上が得られる。
【００３５】
また、銀イオンの上記と同様に、本発明において、従来のゼオライトのみの除湿ロータと比較して本発明ではゼオライト１ｇに対し０．００５８ｇ以上の銀の添着が脱臭性能を向上させるのに必要であることがわかったため、ゼオライトに対する銀イオンの添着量としてはゼオライト１ｇあたり０．００５８ｇ以上添着するのが望ましい。特に０．０１６ｇ以上添着することでさらによい脱臭能力がえられるので、望ましい。
【００３６】
また、銀イオン溶液に含浸する際に液を攪拌することによってロータ全体に銀イオンを均等に交換でき、また交換できない銀イオンを減らすことができる。また交換に必要な時間を短縮できる。また、含浸時間としては１５分以上が望ましく、より銀イオンを交換するためには３０分以上が望ましい。
【００３７】
また、得られた除湿ロータを水、望ましくはイオン交換水や純水で洗浄し、吸湿剤の表面に残存する硝酸イオンおよび、銀、吸湿剤にもともとあった交換性カチオンを洗い流すのが望ましい。これによって、残存した銀や吸湿剤にもともとあった交換性カチオンが、水分や臭気が吸着することを邪魔することをなくすことができ、また、表面に残った硝酸が、加熱手段などによって、脱着して気中に拡散することや、除湿して回収した水分に溶け込むことをなくすことができるものである。
【００３８】
ただし、洗い流すことによる工数の増加、洗浄水の後処理などにコストがかかるため費用対効果の検討をふくめ、使用者が自由に選んでよい。
【００３９】
なお、上記では銀イオン溶液を作成するために硝酸銀を水に溶解したが、硝酸塩以外の塩を用いてもよく、吸湿剤やハニカム通気構造体の基材を侵さないものがよい。
【００４０】
そして、図２に示すように、こうして得られた銀イオン交換除湿ロータ５を、銀イオン交換除湿ロータ５に通気するための通気手段としての処理ファン６と、銀イオン交換除湿ロータ５から湿気を脱着するためのヒータ７と温風を送る再生ファン８の組み合わせといった加熱手段と、銀イオン交換除湿ロータ５を通気部分と脱着の加熱部分を連続して入れ替えるために回転させるためのギアモータ９などの回転手段と、加熱手段によって暖められた空気を回収し脱着した水を冷却、回収するための熱交換装置１０と、回収した水をためるタンク１１とを有した装置に組み込み、除湿装置１２とする。
【００４１】
銀イオン交換除湿ロータ５は処理ファン６によって通気され、空気中の水分および臭気および菌を吸着する。そして回転し、加熱手段であたためられ、銀イオン交換除湿ロータ５から水分が脱着し、熱交換装置１０内で冷やされて液体となりタンク１１に回収される。
【００４２】
また、臭気は加熱手段で暖められ、一部は銀イオン交換除湿ロータ５から脱着し水分中に溶解して水と同様にタンク１１に回収され、一部は気中に再度拡散し、その他は銀イオン交換除湿ロータ５内のゼオライト中の銀イオンと反応し、分解される。また、吸着の際は、銀イオンの電気的引力で臭気が引き寄せられやすく、ゼオライトに吸着するためより多くの吸着量と放出量となり、従来の除湿装置より優れた脱臭能力を示す。また、菌は、吸着時から銀イオンによって殺菌され、こうして除菌能力を有することができる。
【００４３】
また、加熱装置の加熱温度として望ましくは、銀イオンが通気と接触することで酸化してしまい、その活性が低下してしまうため、酸化したＡｇ2Ｏを分解することのできる温度、例えば加熱部分では１６０℃以上の熱が除湿ロータ５の表面にかけられることが望ましい。
【００４４】
（実施の形態２）
実施の形態１では、銀イオン交換除湿ロータ５をハニカム通気構造体２にゼオライト３を添着したのち、切るなどして成型し、その後、銀イオン溶液に含浸したが、ハニカム通気構造体２を含浸するゼオライト３のスラリーに硝酸塩を溶解し、このスラリー中で銀イオンとゼオライト３のもつ交換性カチオンとを交換した上で、ハニカム通気構造体２に銀イオンを交換したゼオライトを添着して、作成しても良い。
【００４５】
また、この場合、焼成する際には、硝酸銀の分解温度である４００℃以上で焼成することが望ましい。
【００４６】
（実施の形態３）
実施の形態１では、吸湿剤としてゼオライトを用いたが、カチオン交換性を有する層状化合物であってもよく、例えば、カオリナイト、スメクタイト、セピオライトなどがある。
【００４７】
（実施の形態４）
実施の形態１では、吸湿剤に銀イオンをイオン交換して導入したが、銀イオンのほかに、銅、マンガン、コバルト、亜鉛などのイオンを用いてもよい。また、このイオンの複数が同時に交換されたものであっても良い。
【００４８】
（実施の形態５）
実施の形態１では、加熱手段の温度を酸化銀の分解する温度としたが、除湿装置に酸化銀の分解モード、つまり、酸化銀が分解する温度を銀イオン交換除湿ロータ５にかけるモードを設け、そのときにヒータなどの加熱手段に大きな入力が入り、酸化銀を分解する運転モードを設けても良い。
【実施例】
【００４９】
（実施例１）
シリカアルミナ繊維と有機繊維とバインダより抄紙した有機無機複合紙を、波型と平型に加工し、これを交互に積層し、波型の頂点部と平型とを接着し、波型と平型の一組のシートを巻き取り、円柱状に加工し、ハニカム状構造体とする。これをゼオライトと無機バインダとの混合水分散液に浸し、引き上げ、紙中および表面からあふれた余剰分はエアブローなどによって除去し、乾燥後、有機繊維などの有機分が焼失し、かつ無機バインダが十分に固まるように５００℃で焼成した。
【００５０】
さらにゼオライトと無機バインダの混合水分散液に含浸して、ゼオライトの付着量がハニカム状構造体の見かけ１Ｌあたり１５５ｇ程度になるように加工した。
【００５１】
これをゼオライト除湿ロータとした。
【００５２】
次に、硝酸銀をイオン交換水に溶解し、銀イオンの濃度で、８００、１６００、２２００、２８００、４７９０ｐｐｍとなるように濃度を調整し、上記ゼオライト除湿ロータの体積に対し、１１３％の体積となるように液量を調整し、銀イオン水溶液を作成した。
【００５３】
上記ゼオライト除湿ロータを、上記銀イオン水溶液に液を攪拌しながら３０分間浸し、引き上げた後、ゼオライト除湿ロータに付着した水分をエアブローによって吹き落とし、室温で通気し乾燥した。これを５００℃で１時間焼成した。
【００５４】
なお、このときの含浸に使用した銀イオン水溶液中の、含浸前後の液の銀イオン濃度をＩＣＰ（誘導結合プラズマ）発光分光分析法を用いて測定し、液として用いた銀イオンがイオン交換もしくは表面付着によってすべて除湿ロータに添着されたことを確認した。その結果を表１に示す。
【００５５】
【表１】
2009183912.tif 000003
【００５６】
（実施例２）
実施例１と同様に、除湿ロータを２２００ｐｐｍの銀イオン水溶液に３０分間浸し、引き上げた後、水分をエアブローによって吹き落とし、室温で通気し乾燥した後、除湿ロータを浸けるのに十分な量のイオン交換水に１分間つけ、再度水分をエアブローによって吹き落とし、室温で通気し、乾燥した。
【００５７】
実施例１での銀イオン水溶液に浸けない除湿ロータを比較例１として用いた。
【００５８】
実施例１および２の銀イオン置換除湿ロータ、および比較例１の除湿ロータを、実施の形態１で示した図２のような除湿装置に組み込む。
【００５９】
除湿装置を２３．３ｍ３のステンレスの部屋に配置し、密室とし、室内に臭気成分としてアンモニアを約１３ｐｐｍ程度になるように拡散し、除湿装置を運転し、アンモニア濃度の減衰を測定した。運転中はステンレスの部屋内は冷却と加湿を外部から行い、温度２５乃至２８度、湿度４５乃至７０％に保つようにした。その結果を表２および図３に示す。
【００６０】
【表２】
2009183912.tif 000004
【００６１】
比較例１の銀イオン液に浸さなかった除湿ロータでも、アンモニアを吸着可能であるが、銀イオンを添着したロータでより速くアンモニアを減衰させることができた。そのため、必要な銀イオンの量として交換液としての銀イオン量８００ｐｐｍでロータ体積あたり１１３％量の液が必要とわかり、これをロータ体積に置き換えて計算すると、ロータ体積あたりの銀の量は０．０００９ｇ／ｃｍ3以上必要であり、また、ゼオライト量１ｇあたりで換算すると、０．００５８ｇの銀が必要であることがわかった。
【００６２】
銀イオンの添着量としては、銀イオンが８００、１６００ｐｐｍの液で交換したロータにくらべ２２００ｐｐｍ以上の濃度の液で交換したものが脱臭性能において優れていることが確認され、また、２２００ｐｐｍ以上では銀イオンの量が増えても、脱臭能力に変化がないことがわかった。以上のことより、交換液としての濃度は２２００ｐｐｍで、つまりロータの体積で換算すると０．００２５ｇ／ｃｍ３添着できる濃度にすることが望ましいということがわかった。また同時に、ゼオライト量１ｇあたりで換算すると、０．０１６ｇの銀が添着されることが望ましいことがわかった。
【００６３】
また、銀イオン添着後、イオン交換水で洗浄した実施例２のほうがさらに速くアンモニアを減衰することができ、洗浄によって表面に残存した銀および銀イオンを残さないほうが脱臭の効果が高いことが確認できた。
【産業上の利用可能性】
【００６４】
除湿用吸湿剤を担持した除湿ロータの吸湿剤中の交換性カチオンに銀イオンなどの殺菌、脱臭分解性を有するカチオンを導入することで、脱臭能力および除菌能力を有した多機能の除湿ロータとできる。また、この除湿ロータを搭載した除湿装置では除湿だけでなく、殺菌、脱臭といった機能を有した装置にすることができる。
【図面の簡単な説明】
【００６５】
【図１】本発明の実施の形態１の除湿ロータを示す概略図
【図２】本発明の実施の形態１の除湿装置を示す概略図
【図３】本発明の実施例１、２および比較例１のアンモニア脱臭実験結果を示すグラフ
【符号の説明】
【００６６】
１    有機無機複合紙
１ａ  平型シート（有機無機複合紙）
１ｂ  波型シート（有機無機複合紙）
２    ハニカム通気構造体
３    ゼオライト
４    無機バインダ
５    銀イオン交換除湿ロータ
６    処理ファン
７    ヒータ
８    再生ファン
９    ギアモータ
１０  熱交換装置
１１  タンク
１２  除湿装置
【図１】
2009183912.tif 000005
【図２】
2009183912.tif 000006
【図３】
2009183912.tif 000007